【手続補正書】
【提出日】平成23年6月22日(2011.6.22)
【手続補正１】
【補正対象書類名】特許請求の範囲
【補正対象項目名】全文
【補正方法】変更
【補正の内容】
【特許請求の範囲】
【請求項１】
金属層と熱融着樹脂層とを有するラミネートフィルムと、
該ラミネートフィルムによって外装された電池素子と、
該電池素子に接続され、対向する上記熱融着樹脂層との間に挟まれ、上記ラミネートフィルムの外側に延出されたリードと
を備え、
上記熱融着樹脂層は、熱融着樹脂および微細樹脂繊維を有する電池。
【請求項２】
上記リードと上記熱融着樹脂層との間にシーラントが設けられ、
上記シーラントは、熱融着樹脂および微細樹脂繊維を有する請求項１記載の電池。
【請求項３】
上記シーラントでは、上記微細樹脂繊維を含む層の両側に上記熱融着樹脂が配された請求項２記載の電池。
【請求項４】
上記微細樹脂繊維の直径が０．５μｍ〜２０μｍであり、且つ上記微細樹脂繊維の長さが２００μｍ〜５０００μｍである請求項１記載の電池。
【請求項５】
上記微細樹脂繊維の直径または短辺長をｒ（μｍ）とし、上記熱融着樹脂層の厚みをｔ（μｍ）とした場合において、
０．１ｔ（μｍ）＜ｒ（μｍ）≦０．５ｔ（μｍ）という条件の下、上記熱融着樹脂層中の上記微細樹脂繊維の配合量は、上記熱融着樹脂に対する体積比率で、１０ｖｏｌ％〜（ｒ／ｔ）×１００ｖｏｌ％である請求項１記載の電池。
【請求項６】
上記熱融着樹脂層中の上記微細樹脂繊維の配合量は、上記熱融着樹脂に対する体積比率で、１０ｖｏｌ％〜２５ｖｏｌ％である請求項１記載の電池。
【請求項７】
上記リードは、上記電池素子の正極に接続された正極リードと、上記電池素子の負極に接続された負極リードとを含み、
上記正極リードおよび上記負極リードが、それぞれ電池の異なる辺から延出された請求項１、請求項２または請求項３記載の電池。
【請求項８】
金属層と熱融着樹脂層とを有するラミネートフィルムと、
該ラミネートフィルムに外装された電池素子と、
該電池素子に接続され、対向する上記熱融着樹脂層との間に挟まれ、上記ラミネートフィルムの外側に延出されたリードと、
該リードと上記熱融着樹脂層との間に設けられたシーラントと
を備え、
上記シーラントは、熱融着樹脂および微細樹脂繊維を有する電池。
【請求項９】
第１の金属層と第１の熱融着樹脂層とを有する第１のラミネートフィルムと、
第２の金属層と第２の熱融着樹脂層とを有する第２のラミネートフィルムと、
上記第１のラミネートフィルムと上記第２のラミネートフィルムとの間に収容された電池素子と、
該電池素子に接続され、対向する上記第１の熱融着樹脂層と上記第２の熱融着樹脂層との間に挟まれ、上記第１のラミネートフィルムおよび上記第２のラミネートフィルムの外側に延出されたリードと、
該リードに接続された回路基板と
を備え、
上記第１の熱融着樹脂層および上記第２の熱融着樹脂層のうちの少なくとも何れかが、熱融着樹脂および微細樹脂繊維を含む電池パック。
【請求項１０】
上記第１の熱融着樹脂層および上記第２の熱融着樹脂層が、熱融着樹脂および微細樹脂繊維を有する請求項９記載の電池パック。
【請求項１１】
上記リードと上記第１の熱融着樹脂層との間、および上記リードと上記第２の熱融着樹脂層との間にシーラントが設けられ、
上記シーラントは、熱融着樹脂および微細樹脂繊維を有する請求項９記載の電池パック。
【請求項１２】
第１の金属層と第１の熱融着樹脂層とを備えた第１のラミネートフィルムと、
第２の金属層と第２の熱融着樹脂層とを備えた第２のラミネートフィルムと、
上記第１のラミネートフィルムと上記第２のラミネートフィルムとの間に収容された電池素子と、
該電池素子に接続され、対向する上記第１の熱融着樹脂層と上記第２の熱融着樹脂層との間に挟まれ、上記第１のラミネートフィルムおよび上記第２のラミネートフィルムの外側に延出されたリードと、
該リードに接続された回路基板と、
上記リードと上記第１の熱融着樹脂層との間、および上記リードと上記第２の熱融着樹脂層との間に設けられたシーラントと
を備え、
上記シーラントは、熱融着樹脂および微細樹脂繊維を有する電池パック。
【請求項１３】
金属層と熱融着樹脂層とを有するラミネートフィルムと、
該ラミネートフィルムに外装された電池素子と、
該電池素子の正極に接続され、対向する上記熱融着樹脂層との間に挟まれ、上記ラミネートフィルムの外側に延出された正極リードと、
上記電池素子の負極に接続され、対向する上記熱融着樹脂層との間に挟まれ、上記ラミネートフィルムの外側に延出された負極リードと、
上記正極リードおよび上記負極リードの間に設けられた、熱融着樹脂および微細樹脂繊維を有するシーラントと
を備え、
上記正極リードおよび上記負極リードは、同一方向に延出され、
上記正極リードの上記負極リード側の面の少なくとも一部と、上記負極リードの上記正極リード側の面の少なくとも一部とが、上記シーラントを介して、電池の厚さ方向に重ねられた電池。
【請求項１４】
上記ラミネートフィルムから延出する上記正極リードの延出部分の長さと、上記ラミネートフィルムから延出する上記負極リードの延出部分の長さとが異なる長さに設定され、
上記ラミネートフィルムから延出する上記シーラントの延出部分の長さは、上記正極リードおよび上記負極リードの延出部分の短い方の長さ以上に設定された請求項１３記載の電池。
【請求項１５】
上記正極リードおよび上記負極リードの幅は、上記電池素子の幅に対して５０％以上であり、電池幅に対して９５％以下である請求項１３記載の電池。
【手続補正２】
【補正対象書類名】明細書
【補正対象項目名】００３２
【補正方法】変更
【補正の内容】
【００３２】
正極は、帯状の正極集電体上に正極活物質層が形成されてなり、さらに、正極活物質層上にポリマー電解質層が形成されている。また、負極は、帯状の負極集電体上に負極活物質層が形成されてなり、さらに、負極活物質層上にポリマー電解質層が形成されている。正極リード４２ａおよび負極リード４２ｂは、それぞれ正極集電体および負極集電体に接合されている。正極活物質、負極活物質、ポリマー電解質としては、既に提案されている材料を使用することができる。
【手続補正３】
【補正対象書類名】明細書
【補正対象項目名】００３４
【補正方法】変更
【補正の内容】
【００３４】
このようなリチウム複合酸化物の具体例としては、ＬｉＣｏＯ2、ＬｉＮｉＯ2、ＬｉＮｉyＣｏ1-yＯ2（式中、０＜ｙ＜１である。）、ＬｉＭｎ2Ｏ4等を挙げることができる。これらのリチウム複合酸化物は、高電圧を発生でき、エネルギー密度が優れたものである。また、正極活物質としてＴｉＳ2、ＭｏＳ2、ＮｂＳｅ2、Ｖ2Ｏ5等のリチウムを有しない金属硫化物または酸化物を使用しても良い。正極には、これらの正極活物質の複数種を併せて使用してもよい。また、以上のような正極活物質を使用して正極を形成するに際して、導電剤や結着剤等を添加しても良い。
【手続補正４】
【補正対象書類名】明細書
【補正対象項目名】００５６
【補正方法】変更
【補正の内容】
【００５６】
上記の好ましいとされる、フィルムの厚みｔ（μｍ）と、微細樹脂繊維の直径または短辺長ｒ（μｍ）との関係を式で表すと、０．１ｔ（μｍ）＜ｒ（μｍ）≦０．５ｔ（μｍ）となる。この条件［０．１ｔ（μｍ）＜ｒ（μｍ）≦０．５ｔ（μｍ）］の下で、上記式（ｒ／ｔ）×１００ｖｏｌ％で算出される微細樹脂繊維の配合量の好ましい上限は、熱融着樹脂に対する体積比率で、１０ｖｏｌ％より大きく５０ｖｏｌ％以下である。
【手続補正５】
【補正対象書類名】明細書
【補正対象項目名】００５７
【補正方法】変更
【補正の内容】
【００５７】
また、微細樹脂繊維の配合量の特に好ましい範囲は、より優れた特性が得られる点から、熱融着樹脂に対する体積比率で１０ｖｏｌ％〜２５ｖｏｌ％である。
【手続補正６】
【補正対象書類名】明細書
【補正対象項目名】０１６２
【補正方法】変更
【補正の内容】
【０１６２】
この非水電解質電池は、電池素子５４に接続された正極リード６２ａおよび負極リード６２ｂが同一方向でラミネートフィルム４１のシール部から外部に延出された構成を有する。電池素子５４の正極には、例えばアルミニウム（Ａｌ）などで構成された正極リード６２ａが接続される。電池素子５４の負極には、例えばニッケル（Ｎｉ）などで構成された負極リード６２ｂが接続される。負極リード６２ｂの幅は、正極リード６２ａの幅より大きく設定されている。